(57)【特許請求の範囲】
【請求項１】
ベースと、
前記ベースに結合されたスクリーンと、
前記ベースにヒンジ結合によって装着され、スピーカを備えて開位置と閉位置との間で回転するカバーと、
前記ベースにヒンジ結合によって装着され、下げられる時は前記スクリーンの一部を提供し、持ち上げられる時は前記スクリーンの全部を提供し、前記カバーと前記ベースとの間に位置するキーパッドと、
から構成されることを特徴とする携帯情報端末の機能と携帯電話の機能とを一体にした携帯用ディジタル端末機。
【請求項２】
前記キーパッドは、下げられた時に前記スクリーンの一部を提供するウィンドウを備えることを特徴とする請求項１記載の携帯情報端末の機能と携帯電話の機能とを一体にした携帯用ディジタル端末機。
【請求項３】
前記キーパッドが下げられる時、携帯電話として動作することを特徴とする請求項２記載の携帯情報端末の機能と携帯電話の機能とを一体にした携帯用ディジタル端末機。
【請求項４】
前記キーパッドが前記カバーの近くまで持ち上げられる時、携帯情報端末として動作することを特徴とする請求項２記載の携帯情報端末の機能と携帯電話の機能とを一体にした携帯用ディジタル端末機。
【請求項５】
前記カバーが閉位置にある時は保護され、前記カバーが開位置にある時は保護されないように、前記ベースに結合された制御ボタンをさらに備えることを特徴とする請求項１記載の携帯情報端末の機能と携帯電話の機能とを一体にした携帯用ディジタル端末機。
【請求項６】
前記カバーが閉位置にある時も開位置にある時も保護されないように、前記ベースに結合された制御ボタンをさらに備えることを特徴とする請求項１記載の携帯情報端末の機能と携帯電話の機能とを一体にした携帯用ディジタル端末機。
【請求項７】
メインハウジングと、
前記メインハウジングから開閉されるスピーカハウジングと、
前記メインハウジングと前記スピーカハウジングを連結するヒンジ手段と、
前記ヒンジ手段に連結され、前記メインハウジングと前記スピーカハウジングとの間に位置して前記メインハウジングから開閉される、複数のキーを有するキーパッドハウジングと、
から構成されることを特徴とする携帯情報端末の機能と携帯電話の機能とを一体にした携帯用ディジタル端末機。
【請求項８】
前記メインハウジングは、タッチスクリーン及びワイド液晶ディスプレイのいずれが１つを含むことを特徴とする請求項７記載の携帯情報端末の機能と携帯電話の機能とを一体にした携帯用ディジタル端末機。
【請求項９】
前記キーパッドハウジングは両方向キーパッドハウジングであり、前記キーパッドハウジングにおける前記スピーカハウジングに対向可能な上面には複数のキーを有する第１キーパッドを、前記キーパッドハウジングにおける前記メインハウジングに対向可能な底面には複数のキーを有する第２キーパッドをさらに備えることを特徴とする請求項７記載の携帯情報端末の機能と携帯電話の機能とを一体にした携帯用ディジタル端末機。
【請求項１０】
前記第１キーパッドのキーは、数字キーが配列され、前記第２キーパッドのキーは、文字キーまたは機能キーが配列されることを特徴とする請求項９記載の携帯情報端末の機能と携帯電話の機能とを一体にした携帯用ディジタル端末機。
【請求項１１】
前記第２キーパッドのキーは、前記端末機を本のように広げた時、キーが水平方向に配列されることを特徴とする請求項９記載の携帯情報端末の機能と携帯電話の機能とを一体にした携帯用ディジタル端末機
【請求項１２】
前記キーパッドハウジングは一方向キーパッドハウジングであり、前記キーパッドハウジングにおける前記スピーカハウジングに対向可能な上面及び前記メインハウジングに対向可能な底面のいずれか１つの面に複数のキーを有するキーパッドをさらに備えることを特徴とする請求項７記載の携帯情報端末の機能と携帯電話の機能とを一体にした携帯用ディジタル端末機。
【請求項１３】
前記キーパッドは、前記キーパッドハウジングにおける前記スピーカハウジングに対向可能な上面に備わることを特徴とする請求項１２記載の携帯情報端末の機能と携帯電話の機能とを一体にした携帯用ディジタル端末機。
【請求項１４】
前記キーパッドハウジングは、前記メインハウジング上のデータを確認するために、所定の形状の第１開口をさらに備えることを特徴とする請求項７記載の携帯情報端末の機能と携帯電話の機能とを一体にした携帯用ディジタル端末機。
【請求項１５】
前記キーパッドハウジングは、前記メインハウジング上のデータを確認するために、所定の形状の第１透明ウィンドウをさらに備えることを特徴とする請求項７記載の携帯情報端末の機能と携帯電話の機能とを一体にした携帯用ディジタル端末機。
【請求項１６】
前記スピーカハウジングは、データを確認するための所定の形状の第２開口を備えることを特徴とする請求項１４記載の携帯情報端末の機能と携帯電話の機能とを一体にした携帯用ディジタル端末機。
【請求項１７】
前記スピーカハウジングは、データを確認するための所定の形状の第２透明ウィンドウを備えることを特徴とする請求項１５記載の携帯情報端末の機能と携帯電話の機能とを一体にした携帯用ディジタル端末機。
【発明の詳細な説明】
【０００１】
【発明の属する技術分野】
本発明は、携帯用端末機に関し、特に、携帯情報端末（Ｐｅｒｓｏｎａｌ Ｄｉｇｉｔａｌ Ａｓｓｉｓｔａｎｔ： 以下、ＰＤＡと称する）と携帯電話との結合装置に関する。
【０００２】
【従来の技術】
通常的に、携帯用端末機は、外形によって、バー型（ｂａｒ−ｔｙｐｅ）、フリップ型（ｆｌｉｐ−ｔｙｐｅ）、及び折り畳み型（ｆｏｌｄｅｒ−ｔｙｐｅ）に区分され、携帯方法によって、リストタイプ（ｗｒｉｓｔ−ｔｙｐｅ）及びネックレスタイプ（ｎｅｃｋ ｗｅａｒａｂｌｅ−ｔｙｐｅ）などに区分される。さらに、携帯用端末機は、機能によって、音声通信用、映像通信用、及びインターネット通信用の端末機に区分される。現在、大部分の個人携帯用端末機は、バー型、フリップ型、及び折り畳み型に区分されているが、将来は多様な方法で携帯できる携帯用端末機の使用が増加すると予想される。
【０００３】
例えば、折り畳み型の端末機は、メインハウジング、メインハウジングに連結されるフォルダ、及び前記メインハウジングから所定の角度まで広げられるようにするヒンジ手段から構成される。前記メインハウジングにはデータ入力手段が装着されることができ、前記フォルダにはデータ出力手段が装着されることができる。逆に、前記メインハウジングにはデータ出力手段が装着され、前記フォルダにはデータ入力手段が装着されることもできる。一般的に、マイクロフォンは前記メインハウジングに装着され、スピーカは前記フォルダに装着される。
【０００４】
多数のキーを有するキーパッドは、データ入力手段として使用され、液晶ディスプレイ（Ｌｉｑｕｉｄ Ｃｒｙｓｔａｌ Ｄｉｓｐｌａｙ： 以下、ＬＣＤと称する）は、データ出力手段として使用される。さらに、前記データ入力手段としては、タッチスクリーンまたはタッチパッドを使用することもできる。
【０００５】
携帯用端末機の軽量化及び小型化の趨勢によって、携帯用端末機の本体、ＬＣＤ、及びキーパッドも小型化される。しかしながら、前記ＬＣＤが小さくなると、表示されるデータが確認しにくくなり、前記キーパッドが小さくなると、データの入力動作が難しくなる。前記のような技術的な制約によって、携帯用端末機の小型化が制限される。ＬＣＤ及びキーパッドの既存のサイズを維持しながら携帯用端末機の小型化を満足させることは、かなり難しい問題である。
【０００６】
さらに、インターネット通信及び電子メールの使用の大衆化によって、前記のような目的を満足する携帯用端末機が要求されている。つまり、使用の便利さのために、ＰＤＡと携帯電話を結合した装置が要求される。
【０００７】
【発明が解決しようとする課題】
本発明の目的は、携帯電話の機能とＰＤＡの機能とを一体にした携帯用ディジタル端末機を提供することにある。
【０００８】
本発明の他の目的は、データ入力機能の拡大及び使用者における便利な使用のために、１つのヒンジによって連結される３つのハウジングを備える携帯用ディジタル端末機を提供することにある。
【０００９】
本発明のまた他の目的は、メインハウジングとスピーカハウジングとの間にキー入力装置ハウジングを備える携帯用ディジタル端末機を提供することにある。
【００１０】
本発明のまた他の目的は、携帯電話として使用される時、ワイドスクリーンＬＣＤがメインハウジングによって保護される携帯用ディジタル端末機を提供することにある。
【００１１】
【課題を解決するための手段】
前記のような目的を達成するために、本発明による携帯情報端末の機能と携帯電話の機能とを一体にした携帯用ディジタル端末機は、ベースと、前記ベースに結合されたスクリーンと、前記ベースにヒンジ結合によって装着されるカバーと、前記ベースにヒンジ結合によって装着されるキーパッドから構成される。前記カバーは、スピーカを備えて開位置と閉位置との間で回転する。前記キーパッドは、下げられる時は前記スクリーンの一部を提供し、持ち上げられる時は前記スクリーンの全部を提供する。前記キーパッドは、前記カバーと前記ベースとの間に位置する。前記キーパッドは、下げられた時に前記スクリーンの一部を提供するウィンドウを備える。前記キーパッドが下げられる時、携帯電話として動作する。前記スクリーンは、前記キーパッドが下げられる時、電話の情報を表示する。前記ベースに結合される制御ボタンは、前記カバーが閉位置にある時は保護され、前記カバーが開位置にある時は保護されない。他の実施形態において、前記ベースに結合される制御ボタンは、前記カバーが閉位置にある時も開位置にある時も保護されない。
【００１２】
本発明の他の観点から、携帯情報端末の機能と携帯電話の機能とを一体にした携帯用ディジタル端末機は、メインハウジングと、前記メインハウジングから開閉されるスピーカハウジングと、前記メインハウジングと前記スピーカハウジングを連結するヒンジ手段と、前記ヒンジ手段に連結されるキーパッドハウジングから構成され、前記キーパッドハウジングは、前記メインハウジングと前記スピーカハウジングとの間に位置して前記メインハウジングから開閉され、複数のキーを有する。
【００１３】
【発明の実施の形態】
以下、本発明による好適な一実施形態を添付図面を参照しつつ詳細に説明する。下記説明において、本発明の要旨を明確にするために関連した公知機能または構成に対する具体的な説明は省略する。
【００１４】
図１は、本発明の実施形態によるＰＤＡ／携帯電話の結合装置１０の斜視図である。前記装置１０は、その一端にヒンジ方式によって装着されるキーパッド１４及びカバー１６を備えるベース１２を含む。前記キーパッド１４は、前記ベース１２と前記カバー１６との間にヒンジ方式によって装着され、下げられる時はディスプレイ１８を保護し、持ち上げられる時は前記ディスプレイ１８を露出させる。前記装置１０は、前記ディスプレイ１８と接続するためのステンシル（ｓｔｅｎｃｉｌ）（図示せず）を含む。前記ディスプレイ１８は、タッチスクリーンディスプレイであることが望ましく、前記キーパッド１４は、一般的に携帯電話に使用されるタイプである。
【００１５】
第１実施形態において、前記キーパッド１４は、前記ベース１２に固定するための固定具（ｌｏｃｋ）を備える。第２実施形態において、前記キーパッド１４は、自由に回転する。前記キーパッド１４は、前記装置１０が携帯電話として動作するためのボタン２０を備える。前記カバー１６は、相手との通話のために、使用者の耳に接触するスピーカ２２を備える。アンテナ２４は、無線通信の伝送及び受信のために前記装置１０に提供される。操作ボタン２６は、前記ベース１２に装着され、電話機及びＰＤＡの機能のために使用される。前記カバー１６の両側面に備わったウィング（ｗｉｎｇ）３２は、前記カバー１６を持ち上げる動作及び下げる動作を容易にする。機能ボタン２８は、前記装置１０の側面に存在する。バッテリ（図示せず）は、前記カバー１６または前記ベース１２に装着される。
【００１６】
図２は、前記カバー１６が閉じた状態の前記装置１０を示す。前記閉じた状態において、前記カバー１６は、前記操作ボタン２６を保護する。第１実施形態において、前記カバー１６は、閉じた状態を維持するラッチ（ｌａｔｃｈ）を備え、第２実施形態において、前記ヒンジ３０は、前記カバー１６が開いた状態または閉じた状態になるようにする。マイクロフォン３１は、前記ベース１２の下部に配置される。
【００１７】
図３は、前記カバー１６及び前記キーパッド１４が持ち上げられた状態を示す。前記状態は、前記スクリーン１８が完全に露出されたＰＤＡとして動作する装置として望ましい。第２実施形態において、前記装置１０は、無線通信を利用して前記装置１０に貯蔵されたメモリ（図示せず）から受信装置に情報を伝送することによって、前記持ち上げられた状態のキーパッド１４を有する電話機として機能する。スピーカ２２は保護されない。
【００１８】
図４は、前記カバー１６は持ち上げられ、前記キーパッド１４は下げられた状態を示す。例えば、前記ヒンジ３０を介する電気的な連結は、前記キーパッド１４と前記ベース１２との間の通信及び電力を支援する。前記装置１０は、前記キーパッド１４が下げられる時、主に電話機として機能する。通話に関連した情報は、前記キーパッド１４が下げられた時、前記ディスプレイ１８の見える部分３４上に表示される。従って、前記キーパッド１４が下げられた状態において、前記装置１０は、前記情報の表示を含んで、通常の携帯電話として動作する。
【００１９】
図５は、本発明の第２実施形態を示す。ＰＤＡ／携帯電話の結合装置３６は、その一端にヒンジ方式によって装着されるキーパッド４０及びカバー４２を備えるベース３８を含む。前記キーパッド４０は、前記ベース３８と前記カバー４２との間にヒンジ方式によって装着され、下げられる時はディスプレイ４４を保護し、持ち上げられる時は前記ディスプレイ４４を露出させる。前記ディスプレイ４４は、タッチセンシティブ（ｔｏｕｃｈ ｓｅｎｓｉｔｉｖｅ）であることが望ましい。
【００２０】
前記ベース４４は、前記キーパッド４０を前記ベース３８に固定する締め具(clasp)４６を有する。１つの締め具４７は、さらに、前記カバー４２を前記ベース３８に固定する。前記キーパッド４０は、前記装置３６が電話機として動作するためのボタン４８を備える。ボタン５０を押すと、前記キーパッド４０の締め具と前記カバー４２が離される。前記カバー４２は、相手との通話のために使用者の耳に接触されるスピーカ４４を含む。操作ボタン５０は、前記ベース３８に装着され、電話機及びＰＤＡ機能のために使用される。前記カバー４２の両側面に位置するウィング５２は、前記カバー４２を持ち上げる動作及び下げる動作を容易にする。機能ボタン５４は、前記装置３６の側面に位置する。バッテリ(図示せず)は、前記カバー４２または前記ベース３８に備わることができる。
【００２１】
図６は、前記カバー４２が閉じた状態の前記装置３６を示す。本発明の一観点は、前記カバー４２が閉じた状態における操作ボタン５０のアクセス容易性である。ヒンジ５６は、前記カバー４２が開いた状態または閉じた状態になるようにする。アンテナ５８は、前記装置３６に無線通信伝送及び受信を提供する。マイクロフォン５９は前記ベース３８の下部に配置される。
【００２２】
図７は、持ち上げられた状態の前記カバー４２及び前記キーパッド４０を示す。前記のような状態の前記装置３６は、前記スクリーン４４が完全に露出されたＰＤＡとして動作する装置として望ましい。前記装置３６は、無線通信を利用して、前記装置３６に貯蔵されたメモリ（図示せず）から受信装置に情報を伝送することによって、持ち上げられた状態のキーパッド４０を備える電話機として機能する。
【００２３】
図８は、前記カバー４２は持ち上げられ、前記キーパッド４８は下げられた状態を示す。例えば、ヒンジ５６を介する電気的な連結は、前記キーパッド４０と前記ベース３８との間の通信及び電力を支援する。前記装置３６は、前記キーパッド４０が下げられた時は、主に電話機として機能する。通話の関連した情報は、前記キーパッド４０が下げられた状態で、前記ディスプレイ４４の見える部分にウィンドウを通して表示される。従って、前記のような状態において、前記装置３６は、前記情報の表示を含んで、通常の携帯電話として動作する。
【００２４】
図９は、本発明の第３実施形態によるスピーカハウジングが閉じた状態のＰＤＡ／携帯電話の結合装置を示す斜視図である。図９を参照すると、前記装置は、ヒンジＨに連結される３つのハウジング１０、３０、及び２０から構成される。前記３つのハウジング１０、３０、及び２０は、それぞれメインハウジング、両方向キーパッドハウジング、及びスピーカハウジングであり、前記キーパッド３０は、前記メインハウジング１０と前記スピーカハウジング２０との間に位置する。前記３つのハウジング１０、３０、及び２０は、ヒンジ軸Ａを中心として、通話のための所定の角度まで広げられることができる。前記通信角度は、前記メインハウジング１０を中心として、前記スピーカハウジング２０または前記両方向キーパッドハウジング３０が回転される角度である。図９に示すように、前記装置が動作しない時、前記スピーカハウジング２０及び前記両方向キーパッドハウジング３０は前記メインハウジング１０の方に下げられる。従って、前記装置は、前記メインハウジング１０、前記メインハウジング１０にヒンジ方式によって装着される両方向キーパッドハウジング３０、及び前記キーパッドハウジング３０にヒンジ方式によって装着される前記スピーカハウジング２０を有する。前記両方向キーパッドハウジング３０が持ち上げられる時は、前記スピーカハウジング２０も持ち上げられる。
【００２５】
図１０、図１１、及び図１２を参照すると、前記スピーカハウジング２０は、上面(top surface)２０１及び底面(bottom surface)２０２を備える。スピーカ２１０は、前記底面２０２の所定の位置に装着される。前記両方向キーパッドハウジング３０は、その上面３０１には第１キー３２０の配列からなる第１キーパッド３２１を、その底面３０２には第２キー３５０の配列からなる第２キーパッド３５１を有する。第１開口３１０は、前記両方向キーパッドハウジング３０の前記上面３０１及び前記底面３０２を貫いて形成される。前記第１キーパッド３２１は、音声通信のための携帯電話として機能するために、複数の数字キー、通話キー、及び電源キーなどのキーを備えることが望ましい。前記第２キーパッド３５１は、インターネット通信及び電子メールのために、使用者の便利性を考慮して、文字キー、スクロールキー、及び機能キーなどを含むことが望ましい。しかしながら、前記のように配列することは、代表的な一例にすぎず、前記第１キーパッド３２１及び第２キーパッド３５１上に前記キーを配列する方式は、前記の一例の以外にも、別の方式を使用して配列することもできる。例えば、前記第１キーパッド３２１には主に文字キーを配列し、前記第２キーパッド３５１には数字キーを配列することもできる。
【００２６】
前記第１開口３１０は、前記メインハウジング１０のワイドＬＣＤ１１０上に表示されるデータを、前記両方向キーパッドハウジング３０を持ち上げずに確認するために使用される。前記データは、一般的に、前記ＬＣＤ１１０の上部にアイコンとして表示される日付、時間、アンテナの受信感度、バッテリの状態などを含むことができる。従って、前記第１開口３１０は、前記ＬＣＤ１１０の上部に対応する位置に備えられる。
【００２７】
前記メインハウジング１０は、その上面１０１の大部分を占めるワイドＬＣＤ１１０が装着される。前記ワイドＬＣＤ１１０の代わりに、タッチスクリーンを使用しても構わない。ここでは、周知のタッチセンシティブパネルが提供される。従って、使用者は、前記ワイドＬＣＤ１１０を通してデータを入力／出力することができる。
【００２８】
前記スピーカハウジング２０が閉じた状態である時、前記メインハウジング１０、前記両方向キーパッドハウジング３０、及び前記スピーカハウジング２０は、順次に積み重ねられる。
【００２９】
通話をするためには、図１２に示すように、使用者は前記両方向キーパッドハウジング３０から前記スピーカハウジング２０を持ち上げる。インターネット接続及び電子メールの伝送のためには、図１１に示すように、前記メインハウジング１０から前記両方向キーパッドハウジング３０を持ち上げる。
【００３０】
図９を参照すると、前記ワイドＬＣＤ１１０は、前記スピーカハウジング２０によって覆われて、外部環境から保護される。
【００３１】
図１３、図１４、及び図１５を参照すると、本発明の第４実施形態によるＰＤＡ／携帯電話の結合装置は、スピーカハウジング７０を持ち上げずにワイドＬＣＤ上に表示されるデータを確認するために、前記スピーカハウジング７０に第１透明ウィンドウ７１０を、前記キーパッドハウジング８０に第２透明ウィンドウ８１０を備える。前記第１透明ウィンドウ７１０及び第２透明ウィンドウ８１０は、同一の形状であることが望ましい。第４実施形態は、前記第１透明ウィンドウ７１０及び第２透明ウィンドウ８１０の以外は、第３実施形態と同様である。
【００３２】
図１６、図１７、及び図１８を参照すると、本発明の第５実施形態によるＰＤＡ／形態電話の結合装置は、スピーカハウジング９０を持ち上げずにワイドＬＣＤ上に表示されるデータを確認するために、前記スピーカハウジング９０に所定の形状で形成される開口９１０を、キーパッドハウジング９５に開口９５１を備える。第５実施形態は、前記開口９１０及び９５１の以外は、第３実施形態と同様である。
【００３３】
図１９は、本発明の第６実施形態によって、前記両方向キーパッドハウジング８０が広げられた状態のＰＤＡ／携帯電話の結合装置を示す斜視図である。図１９を参照すると、インターネット通信及び電子メールのためには文字キーが頻繁に使用されるので、使用者のデータ入力動作を便利にするために、前記装置を本のように広げた時、両方向キーパッドハウジング９６の底面に備わる文字及びシンボルが表示されたキー９６１は、水平の方向で配列されるようにする。キーパッド９６０を利用して入力されたデータも、ワイドＬＣＤ上に同一の方向に表示される。
【００３４】
一方、前記本発明の詳細な説明では具体的な実施形態に挙げて説明してきたが、本発明の範囲内で様々な変形が可能であるということは勿論である。従って、本発明の範囲は前記実施形態によって限られるべきでなく、特許請求の範囲とそれに均等なものによって定められるべきである。
【００３５】
【発明の効果】
前述してきたように、本発明によるＰＤＡ／携帯電話の結合装置は、サイズの小型化を具現し、キーパッドハウジングを含む３つのハウジングは１つのヒンジによって他のハウジングに連結されるので、データの入力／出力機能が拡大される。特に、音声通信の時は、ワイドＬＣＤが外部環境から保護され、インターネット通信通信及び電子メールの伝送の時は、便利に使用することができる。
【図面の簡単な説明】
【図１】本発明の第１実施形態によって、カバーは開いた状態で、キーパッドは持ち上げられてＰＤＡディスプレイが露出された状態のＰＤＡ／携帯電話の結合装置を示す斜視図である。
【図２】前記カバーが閉じた状態である図１の装置を示す斜視図である。
【図３】前記キーパッドが持ち上げられて前記カバーに近接した状態の図１の装置を示す斜視図である。
【図４】前記キーパッドが下げられて前記メインハウジングに近接した状態の図１の装置を示す斜視図である。
【図５】本発明の第２実施形態によって、キーパッドが持ち上げられてＰＤＡディスプレイが露出された状態のＰＤＡ／携帯電話の結合装置を示す斜視図である。
【図６】カバーが閉じた状態である図５の装置を示す斜視図である。
【図７】前記キーパッドが持ち上げられて前記カバーに近接した状態の図５の装置を示す斜視図である。
【図８】前記キーパッドが下げられてメインハウジングに近接した状態の図５の装置を示す斜視図である。
【図９】本発明の第３実施形態によって、スピーカハウジングが閉じた状態であるＰＤＡ／携帯電話の結合装置を示す斜視図である。
【図１０】キーパッドハウジングが持ち上げられた状態の図９の装置を示す斜視図である。
【図１１】前記キーパッドハウジングが開いた状態の図９の装置を示す斜視図である。
【図１２】スピーカハウジングが開いた状態の図９の装置を示す斜視図である。
【図１３】本発明の第４実施形態によって、キートップハウジングが持ち上げられた状態のＰＤＡ／携帯電話の結合装置を示す斜視図である。
【図１４】キーパッドハウジングが開いた状態の図１３の装置を示す斜視図である。
【図１５】スピーカハウジングが開いた状態の図１３の装置を示す斜視図である。
【図１６】本発明の第５実施形態によって、キーパッドハウジングが持ち上げられた状態のＰＤＡ／携帯電話の結合装置を示す斜視図である。
【図１７】前記キーパッドハウジングが開いた状態の図１６の装置を示す斜視図である。
【図１８】スピーカハウジングが開いた状態の図１６の装置を示す斜視図である。
【図１９】キーパッドハウジングが開いた状態のＰＤＡ／携帯電話の結合装置を示す斜視図である。
【符号の説明】
１０、３６  ＰＤＡ／携帯電話の結合装置
１０  メインハウジング
１２、３８  ベース
１２  メインハウジング
１４、４０  キーパッド
１４、９６  両方向キーパッドハウジング
１６、４２  カバー
１６、７０、９０  スピーカハウジング
１８、４４  ディスプレイ
２０、４８  ボタン
２２、２１０  スピーカ
２４、５８  アンテナ
２６、５０  操作ボタン
２８、５４  機能ボタン
３０、５６  ヒンジ
３２、５２  ウィング（ｗｉｎｇ）
３１、５９  マイクロフォン
４６、４７  締め具（ｃｌａｓｐ）
８０、９５  キーパッドハウジング
１１０  ワイドＬＣＤ
３１０  第１開口
３２０  第１キー
３２１  第１キーパッド
３５０  第２キー
３５１  第２キーパッド
７１０  第１透明ウィンドウ
８１０  第２透明ウィンドウ
９１０、９５１  開口
９６０  キーパッド
９６１  キー
【図１】
0003628655.tif 000002
【図２】
0003628655.tif 000003
【図３】
0003628655.tif 000004
【図４】
0003628655.tif 000005
【図５】
0003628655.tif 000006
【図６】
0003628655.tif 000007
【図７】
0003628655.tif 000008
【図８】
0003628655.tif 000009
【図９】
0003628655.tif 000010
【図１０】
0003628655.tif 000011
【図１１】
0003628655.tif 000012
【図１２】
0003628655.tif 000013
【図１３】
0003628655.tif 000014
【図１４】
0003628655.tif 000015
【図１５】
0003628655.tif 000016
【図１６】
0003628655.tif 000017
【図１７】
0003628655.tif 000018
【図１８】
0003628655.tif 000019
【図１９】
0003628655.tif 000020